(57)【特許請求の範囲】
【請求項１】
固定筒と、
前記固定筒内に配置され該固定筒に対し第１の位置と該第１の位置から光軸方向に回転繰り出しされた第２の位置との間で移動する移動鏡筒と、
前記移動鏡筒に一体的に固定された電気素子と、
前記固定筒に一体的な固定部に取り付けられ前記電気素子を制御するための制御部と、
前記制御部に接続された固定筒側延伸部と、前記電気素子に接続された移動鏡筒側延伸部と、該固定筒側延伸部と該移動鏡筒側延伸部とをつなぐ作動屈曲部とを有する可撓性プリント配線接続部材と、
前記固定筒の光軸に対し平行でかつ該光軸の軸中心に向かう放射方向の面に沿う方向に配置されて該固定筒に固定され、前記可撓性プリント配線接続部材の前記固定筒側延伸部を保持する固定側保持部材と、
前記移動鏡筒の光軸に対し平行でかつ該光軸の軸中心に向かう放射方向の面に沿う方向に配置されて該移動鏡筒に固定され、前記可撓性プリント配線接続部材の前記移動鏡筒側延伸部を保持する移動側保持部材と、を有し、
前記可撓性プリント配線接続部材は、該可撓性プリント配線接続部材のプリント配線面が、前記固定筒の前記光軸に対して平行でかつ該光軸の軸中心に向かう放射方向の面に沿う方向に配置され、
前記可撓性プリント配線接続部材の前記作動屈曲部は、該作動屈曲部の内周側円周長より外周側円周長が長くなるように前記固定筒に対して該作動屈曲部の外周側が内周側より開くように設けられたことを特徴とするレンズ鏡筒。
【請求項２】
前記電気素子が電気的絞り装置であることを特徴とする請求項１記載のレンズ鏡筒。
【請求項３】
前記電気素子がブレを補正するブレ補正装置の構成の一部であることを特徴とする請求項１記載のレンズ鏡筒。
【発明の詳細な説明】
【０００１】
【発明の属する技術分野】
本発明は、回転繰り出しする移動レンズ群に一体的に取付けられた電気素子を有するレンズ鏡筒に関するものである。
【０００２】
【従来の技術】
従来、固定筒に対しフォーカシングあるいはズーミングのために光軸方向に移動する移動群に一体的に取り付けられた電気的絞り装置あるいは電気的シャッタ装置と固定部に配置されている制御部とを電気的に接続する手段として、弛みを持たせてリード線やフレキシブルプリント配線板による接続手段（従来例１）が一般的に知られている。
また、実開昭５９−１２８６０９号公報に記載されているレンズ鏡筒内配線装置のようにフォーカシングまたはズーミングのために移動する操作環等の移動部材と固定筒とを、帯状のフレキシブルプリント配線板を操作環の移動方向に沿い中間部を折り返して接続するようにしたもの（従来例２）も知られている。
さらには、実公平６−３７３７１号公報に記載の光軸方向に移動する電気的絞り装置と固定部とを固定筒の内径部に沿わせてフレキシブルプリント配線板をらせん帯状に配置し、弾性的に湾曲することにより接続可能としたもの（従来例３）も知られている。
【０００３】
【発明が解決しようとする課題】
ところが、前述従来例１では弛んだ際のリード線やフレキシブルプリント配線板が固定筒内の他の移動レンズ群や他の部材に接触してストレスや断線、あるいは異音発生や作動不良等が生じないように広いスペースを与える必要があり、レンズ鏡筒自体の小型化には不適切であった。
また、前述従来例２では移動部材が固定筒に対し光軸方向に直進移動する場合にしか対応せず、電気的絞り装置が回転繰り出しするような移動群に固定される場合は用いることができなかった。
さらには前述従来例３では固定筒内にフレキシブルプリント配線板がらせん状に配置できるだけの周方向のスペースが必要になり、また、らせん状を展開したフレキシブルプリント配線板では製造する際の面積が大きくなり、コストがかかるという問題点もあった。
【０００４】
本発明は、前述従来技術の欠点を除去し、固定筒に対しフォーカシングあるいはズーミングのために光軸方向に回転繰り出しする移動群に一体的に取付けられる電気的絞り装置、電気的シャッタ装置あるいはブレ補正装置等の電気素子と、固定部に配置されている制御部とを電気的に接続するのに、フレキシブルプリント配線接続部材が作動する内周部に固定あるいは移動する部材があっても、接触して異音発生や作動不良となることのない小型のレンズ鏡筒を提供することを目的とする。
【０００５】
【課題を解決するための手段】
前述の目的を達成するために、本発明は固定筒に取り付けた制御部と固定筒に対し光軸方向に移動される移動鏡筒に設けた電気素子とを接続する可撓性プリント配線接続部材のプリント配線面が、前記固定筒の前記光軸に対して平行でかつ該光軸の軸中心に向かう放射方向の面に沿う方向に配置され、前記可撓性プリント配線接続部材の前記作動屈曲部は、該作動屈曲部の内周側円周長より外周側円周長が長くなるように前記固定筒に対して該作動屈曲部の外周側が内周側より開くように設けられたものである。
【０００６】
【発明の実施の態様】
本発明は、固定筒と、前記固定筒内に配置され該固定筒に対し第１の位置と該第１の位置から光軸方向に回転繰り出しされた第２の位置との間で移動する移動鏡筒と、前記移動鏡筒に一体的に固定された電気素子と、前記固定筒に一体的な固定部に取り付けられ前記電気素子を制御するための制御部と、前記制御部に接続された固定筒側延伸部と、前記電気素子に接続された移動鏡筒側延伸部と、該固定筒側延伸部と該移動鏡筒側延伸部とをつなぐ作動屈曲部とを有する可撓性プリント配線接続部材と、前記固定筒の光軸に対し平行でかつ該光軸の軸中心に向かう放射方向の面に沿う方向に配置されて該固定筒に固定され、前記可撓性プリント配線接続部材の前記固定筒側延伸部を保持する固定側保持部材と、前記移動鏡筒の光軸に対し平行でかつ該光軸の軸中心に向かう放射方向の面に沿う方向に配置されて該移動鏡筒に固定され、前記可撓性プリント配線接続部材の前記移動鏡筒側延伸部を保持する移動側保持部材と、を有し、前記可撓性プリント配線接続部材は、該可撓性プリント配線接続部材のプリント配線面が、前記固定筒の前記光軸に対して平行でかつ該光軸の軸中心に向かう放射方向の面に沿う方向に配置され、前記可撓性プリント配線接続部材の前記作動屈曲部は、該作動屈曲部の内周側円周長より外周側円周長が長くなるように前記固定筒に対して該作動屈曲部の外周側が内周側より開くように設けられたことにより、可撓性プリント配線接続部材の外周側の円周長が内周側の円周長よりも長くなり、これにより、移動鏡筒の回転動作において可撓性プリント配線接続部材の作動屈曲部が外周側に引っ張られることになり、結果的に内周への振込量を調整することが可能となる。
【０００８】
本発明では、電気素子が電気的絞り装置であることにより、回転繰り出しを行うことのできる絞り装置が可能となり、より自由度の高い設計を可能とする。また本発明では、電気素子がブレを補正するブレ補正装置の構成の一部とすることにより、ブレ補正装置の構成の一部が回転繰り出しを行うことができるようになり、より自由度の高い設計を可能とする。
【０００９】
【実施例】
以下、本発明の一実施例を図１ないし図６に基づいて説明する。
図１は本実施例のズーム鏡筒で、上半部がワイド位置状態、下半部がテレ位置状態を示し、図２はその要部構成部品の斜視図、図３はワイド位置展開図、図４はテレ位置展開図、図５はマウント側から見た正面図、図６はそのテレ位置での電磁絞り装置の斜視図、図７はワイド位置でのフレキシブルプリント配線板の斜視図、図８はテレ位置でのフレキシブルプリント配線板の斜視図、図８はフレキシブルプリント配線板の展開図である。
図において、１は固定筒で、マウント２の前部に一体的に固定され、その周面に直進ガイド溝１ａ、３群カム１ｂ及び５群カム１ｃが形成され、さらに、その内径部に光軸と平行方向のガイド板１４がビス１４ａで固定されている。３は直進筒で、該固定筒１の外径部に嵌装されており、その内径面に固定した直進ガイドキー１０が該固定筒１の直進ガイド溝１ａに係合して光軸と平行方向にのみ移動可能になっている。さらに、該直進筒３の内径面にはモールド成形された凸カム３ａが、その外周面にはオスヘリコイド３ｂがそれぞれ形成され、その後端部外周にはカムフォロア部３ｃが設けられている。４はメスへリコイド環で、その前端に１群鏡筒４ａを保持し、その内径面に形成したメスヘリコイド４ｂが該直進筒３のオスヘリコイド３ｂに噛合し、フォーカス動作のために回転繰り出しされる。５はズーム操作環で、該固定筒１とマウント２により回動可能に挟持され、その内径面にモールド成形された凸カム部５ａが前記直進筒３のカムフォロア部３ｃに係合している。
【００１０】
次に、６及び８は前記固定筒１の前部及び後部にそれぞれ固定される２群鏡筒及び４群鏡筒である。
７は３群鏡筒で、コロ軸１２で保持したコロ１１が該固定筒１の３群カム１ｂに係合して取り付けられ、また、電子素子として電磁絞り装置２０が固定されるとともに光軸に平行方向に延びるフレキガイド部７ａを有している。９は５群鏡筒で、コロ軸１２で保持したコロ１１が該固定筒１の５群カム１ｃに係合して取り付けられている。さらに、該３群鏡筒７及び５群鏡筒９にそれぞれ取り付けられたコロ１１は前記直進筒３の凸カム３ａに係合しており、これにより該直進筒３が光軸方向に移動すると、３群鏡筒７及び５群鏡筒９は該固定筒１の３群カム１ｂ及び５群カム１ｃに沿って回転移動する。
【００１１】
前記電磁絞り装置２０にはフレキシブルプリント配線板２１の移動鏡筒側延伸部の一端である先端が電気的に接続されており、フレキシブルプリント配線板２１の移動鏡筒側延伸部は３群鏡筒７の移動側保持部材であるフレキガイド部７ａに不図示の両面テープで固定されている。フレキシブルプリント配線板２１の移動鏡筒側延伸部の他端は、作動屈曲部２１ａとして、Ｓ字状に屈曲され、さらに固定筒側延伸部が形成されている。フレキシブルプリント配線板２１の固定筒側延伸部は、固定筒１に固定された固定側保持部材であるガイド板１４に不図示の両面テープ等で固定されている。フレキシブルプリント配線板２１の固定筒側延伸部の先端は、固定筒１に取り付けられた制御回路１５のコネクタ部１５ａに電気的に接続されている。ここで、フレキシブルプリント配線板２１のプリント配線面は、図２、図３、図５から明らかなように、固定筒１の光軸に対して平行でかつ光軸の軸中心に向かう放射方向の面に沿う方向に配置されている。また、フレキシブルプリント配線板２１の作動屈曲部２１ａは、図５、図７、図８から明らかなように、作動屈曲部２１ａの内周側円周長２１ｂより外周側円周長２１ｃが長くなるように固定筒１に対して作動屈曲部２１ａの外周側（外周側円周長２１ｃ側）が内周側（内周側円周長２１ｂ側）より開くように設けられている。
【００１２】
図５はこの時の該フレキシブルプリント配線板２１の作動屈曲部２１ａの配置をマウント方向から見た正面図を示している。図５において、移動側保持部材であるフレキガイド部７ａの図示位置７ａが、移動鏡筒である３群鏡筒７の回転初期ワイド位置（移動鏡筒の第１の位置）である。また図５において、回転端テレ位置（移動鏡筒の第２の位置）は７ａ′となる。
ここで、フレキシブルプリント配線板２１のプリント配線面である固定筒側延伸部および移動鏡筒側延伸部は、図２、図３、図５から明らかなように、固定筒１の光軸に対して平行でかつ光軸の軸中心に向かう放射方向の面に沿う方向に配置されている。また、フレキシブルプリント配線板２１の作動屈曲部２１ａは、図５、図７、図８から明らかなように、作動屈曲部２１ａの内周側円周長２１ｂより外周側円周長２１ｃが長くなるように固定筒１に対して作動屈曲部２１ａの外周側（外周側円周長２１ｃ側）が内周側（内周側円周長２１ｂ側）より開くように設けられた構成となっている。
【００１３】
図９の該フレキシブルプリント配線板２１の展開図において、作動屈曲部２１ａはほぼ直線形状であり、該作動屈曲部２１ａを前記３群鏡筒７の回転初期位置において外周側に開く形状に配設することにより、該作動屈曲部２１ａの外周側円周長２１ｂが内周側円周長２１ｃよりも大きく必要になるため、外周側に常に引っ張られる力が働くことになり、該３群鏡筒７がテレ側に回転したときにも該作動屈曲部２１ａが内周側に振り込むことなく動作できる。図７が回転初期位置での該フレキシブルプリント配線板２１の作動屈曲部２１ａを内周側から見た斜視図で、図８が回転した位置での内周側から見た斜視図である。
【００１４】
次に、以上の構成の本実施例の動作を説明する。
ズーム位置をワイドからテレに移行させようとする時は、ズーム操作環５を回転すると、ズーム操作環５の内径面の凸カム部５ａと係合する直進筒３のカムフォロア部３ｃにより、直進筒３は固定筒１の直進ガイド溝１ａに直進ガイドキー１０がガイドされ直進移動する。この時、該直進筒３の内径面の凸カム部３ａに係合しているコロ１１は、直進筒３の凸カム部３ａと該固定筒１の３群カム１ｂとの交点に移動するため、コロ１１を保持する３群鏡筒７は該固定筒１の３群カム１ｂに沿って移動することになる。
【００１５】
同様に、５群鏡筒９も該直進筒３の凸カム部３ａと該固定筒１の５群カム１ｃとの交点に移動するため、コロ１１を保持する該５群鏡筒９は該固定筒１の５群カム１ｃに沿って移動し、ズーム動作が完了する。この時、光軸方向に向かい回転繰り出し移動する３群鏡筒７に固定された電磁絞り装置２０のフレキシブルプリント配線板２１は、Ｓ字状に屈曲された部分を延ばしながら制御回路１５との間を電気的に接続することになる。そして、該フレキシブルプリント配線板２１の作動屈曲部２１ａがパターン面を光軸中心から放射方向とほぼ平行になるように配置されているため、回転方向にも光軸方向にも柔軟性を有しており、また、該３群鏡筒７の回転初期ワイド位置で光軸方向に対し放射方向とほぼ平行に配置される該フレキシブルプリント配線板２１のプリント配線面がガイド板１４と外周側に開く形状となるように配設される構成となっているので、該フレキシブルプリント配線板２１の内周方向への振込量も抑えられている。テレ側位置での電磁絞り装置２０と該フレキシブルプリント配線板２１との状態を図６に示す。
【００１６】
なお、本実施例ではモールド成形による凸カム部を有したモールドズーム鏡筒としたが、フレキシブルプリント配線板２１で接続する電磁絞り装置２０が光軸方向に向かい回転繰り出しを必要とするズーム構成であれば、これに限るものではない。また、電磁絞り装置の代わりに電気シャッタ装置、さらにブレを補正するためのブレ補正装置を構成するブレ補正ユニットであっても、当然同様の効果を得られることはいうまでもない。
【００１７】
【発明の効果】
以上説明したように、本発明は、固定筒と、前記固定筒内に配置され該固定筒に対し第１の位置と該第１の位置から光軸方向に回転繰り出しされた第２の位置との間で移動する移動鏡筒と、前記移動鏡筒に一体的に固定された電気素子と、前記固定筒に一体的な固定部に取り付けられ前記電気素子を制御するための制御部と、前記制御部に接続された固定筒側延伸部と、前記電気素子に接続された移動鏡筒側延伸部と、該固定筒側延伸部と該移動鏡筒側延伸部とをつなぐ作動屈曲部とを有する可撓性プリント配線接続部材と、前記固定筒の光軸に対し平行でかつ該光軸の軸中心に向かう放射方向の面に沿う方向に配置されて該固定筒に固定され、前記可撓性プリント配線接続部材の前記固定筒側延伸部を保持する固定側保持部材と、前記移動鏡筒の光軸に対し平行でかつ該光軸の軸中心に向かう放射方向の面に沿う方向に配置されて該移動鏡筒に固定され、前記可撓性プリント配線接続部材の前記移動鏡筒側延伸部を保持する移動側保持部材と、を有し、前記可撓性プリント配線接続部材は、該可撓性プリント配線接続部材のプリント配線面が、前記固定筒の前記光軸に対して平行でかつ該光軸の軸中心に向かう放射方向の面に沿う方向に配置され、前記可撓性プリント配線接続部材の前記作動屈曲部は、該作動屈曲部の内周側円周長より外周側円周長が長くなるように前記固定筒に対して該作動屈曲部の外周側が内周側より開くように設けられたことにより、内周への振込量を調整することが可能になり、移動鏡筒の内周側での可撓性プリント配線接続部材の側面（作動屈曲部の内周円周側）と移動鏡筒の外周側での可撓性プリント配線接続部材の側面（作動屈曲部の外周円周側）とに他の構成部品が存在する時にも接触して異音発生や作動不良になることがなく、固定筒に対しフォーカシングやズーミングのために光軸方向に回転繰り出しする移動群に電気素子を一体的に取り付けることが可能となり、より自由度の高い光学設計、鏡筒設計が可能となる。
【００１９】
本発明は該電気素子が電気的絞り装置であることにより、回転繰り出しを行うことのできる電気的絞り装置を有するレンズ鏡筒を実現可能にする。また本発明は該電気素子がブレを補正するブレ補正装置の構成の一部とすることにより、ブレ補正装置の構成の一部が回転繰り出しを行うことのできるレンズ鏡筒を実現可能にする。
【図面の簡単な説明】
【図１】本発明に係る一実施例のズーム鏡筒の断面図である。
【図２】その要部構成部品の分解斜視図である。
【図３】その要部構成部分のワイド位置展開図である。
【図４】同じく、テレ位置展開図である。
【図５】マウント側から見た正面図である。
【図６】そのテレ位置での電磁絞り装置の斜視図である。
【図７】そのワイド位置でのフレキシブルプリント配線板の斜視図である。
【図８】同じく、テレ位置でのフレキシブルプリント配線板の斜視図である。
【図９】そのフレキシブルプリント配線板の展開図である。
【符号の説明】
１・・固定筒、１ａ・・直進ガイド溝、１ｂ・・３群カム、１ｃ・・５群カム、２・・マウント、３・・直進筒、３ａ・・凸カム部、３ｂ・・オスヘリコイド、３ｃ・・カムフォロア部、４・・メスヘリコイド環、４ａ・・１群鏡筒、４ｂ・・メスヘリコイド、５・・ズーム操作環、５ａ・・凸カム部、６・・２群鏡筒、７・・３群鏡筒、７ａ・・フレキガイド部、８・・４群鏡筒、９・・５群鏡筒、１０・・直進ガイドキー、１１・・コロ、１２・・コロ軸、１３・・ビス、１４・・ガイド板、１４ａ・・ビス、１５・・制御回路、１５ａ・・コネクタ部、２０・・電磁絞り装置、２１・・フレキシブルプリント配線板、２１ａ・・作動屈曲部、２１ｂ・・外周側円周長、２１ｃ・・内周側円周長。
【図１】
0003976873.tif 000002
【図２】
0003976873.tif 000003
【図３】
0003976873.tif 000004
【図４】
0003976873.tif 000005
【図５】
0003976873.tif 000006
【図６】
0003976873.tif 000007
【図７】
0003976873.tif 000008
【図８】
0003976873.tif 000009
【図９】
0003976873.tif 000010